(57)【要約】【課題】チェーンの運搬をより一層効率よくするとともにチェーンの張り込み作業をより簡単にかつより効率よくし、更にチェーンのリンクに設けられかつフライトを取り付けるアタッチメントを無駄にしない。【解決手段】リンク２０とアタッチメント２７とが別体に形成される。そして、アタッチメント２７の支持台２６の位置決め用突起２６ａがリンク２０の貫通孔２０ｇに嵌合されてアタッチメント２７がリンク２０に対して位置決めされる。この状態で、ボルト２８,２９が整合された孔２０ｇ,２０ｈ,２７ｅ,２７ｆに貫通されてそれぞれナット３０,３１で緊締されることで、フライト２５を取り付けるアタッチメント２７がリンク２０に着脱可能に取り付けられる。【選択図】  図８
2010104867.tif 000002
【特許請求の範囲】
【請求項１】
スプロケットの複数のスプロケット側係合部に無端状のチェーンが係脱可能に係合することで前記スプロケットと前記チェーンとの間で動力伝達が行われるチェーン動力伝達装置を備える汚泥掻寄機において、
前記チェーンは、複数のリンクが互いに相対回転可能にかつ無端状に連結されて形成されているとともに、前記リンクが前記スプロケット側係合部に係脱可能とされており、
前記リンクに掻寄部材がアタッチメントを介して設けられており、
前記アタッチメントが前記リンクに着脱可能に取り付けられていることを特徴とする汚泥掻寄機。
【請求項２】
前記リンクおよび前記アタッチメントのいずれか一方に、前記アタッチメントを前記リンクに対して位置決めする位置決め用凸部が設けられるとともに、前記リンクおよび前記アタッチメントのいずれか他方に、位置決め用凸部が嵌合されて前記アタッチメントを前記リンクに対して位置決めする位置決め用凹部が設けられていることを特徴とする請求項１に記載の汚泥掻寄機。
【請求項３】
前記位置決め用凸部および前記位置決め用凹部が前記アタッチメントの前記リンクへの取付のための固着具が設置される固着具設置部であることを特徴とする請求項２に記載の汚泥掻寄機。
【発明の詳細な説明】
【技術分野】
【０００１】
本発明は、モータ等の動力源の駆動力をチェーンおよびスプロケットにより伝達するチェーン動力伝達装置を用いた汚泥掻寄機の技術分野に関するものである。
【背景技術】
【０００２】
従来、下水処理場や浄水場においては、泥土や土砂が混入している流入水を一旦沈澱槽に導入し、この沈澱槽において流入水内の泥土や土砂を沈澱させて水と分離している。そして、沈殿した汚泥は、沈澱槽底部に設置した汚泥掻寄機によって沈澱槽底部の一側部に設けた汚泥ピット内に集泥した後、沈澱槽外へ排出し処理するようにしている。
【０００３】
このような従来の汚泥掻寄機として、チェーンフライト式汚泥掻寄機が知られている（例えば、特許文献１および２参照）。このチェーンフライト式汚泥掻寄機はチェーン動力伝達装置を備えている。このチェーン動力伝達装置は、駆動スプロケットと、従動スプロケットと、多数のリンクが無端状に連結されて構成されるとともに駆動スプロケットと従動スプロケットとに掛け渡されたチェーンとからなっている。その場合、駆動スプロケットと従動スプロケットには、多数のローラを用いたスプロケットが用いられている。駆動スプロケットおよび従動スプロケットの各ローラに無端状のチェーンのリンクが係合することで、駆動スプロケットから無端状のチェーンに動力が伝達されて、無端状のチェーンが従動スプロケットを回転させながら回動する。このチェーンのリンクにはフライト（掻寄部材）が取り付けられている。そして、無端状のチェーンの回動とともにフライトが回動することで、沈澱槽に沈殿した汚泥がフライトによって汚泥ピットまで掻き寄せられる。
【特許文献１】特開２００３−２３６３０９号公報。
【特許文献２】特開２００３−１１７３１０号公報。
【発明の開示】
【発明が解決しようとする課題】
【０００４】
ところで、前述の特許文献１および２に記載のチェーンフライト式汚泥掻寄機では、図１０に示すようにフライトを取り付けるアタッチメントａがチェーンのリンクｂに、単一部材で一体にかつリンクｂの長手方向と直交またはほぼ直交する方向に突出して設けられている。また、チェーンフライト式汚泥掻寄機が設置される現地に運搬する際には、チェーンの無端状態解除して直線状にするとともに、チェーンをとぐろ巻き状態でパレットに載置する。そして、とぐろ巻きのチェーンを載置したパレットを現地に運搬する。
【０００５】
しかしながら、前述のようにアタッチメントａがリンクｂに単一部材で一体に突設したのでは、アタッチメントａによりとぐろ巻き状態にされたチェーンが嵩張って場所を大きくとってしまい、運搬作業が非効率であるという問題がある。
【０００６】
また、現地でチェーンをスプロケットに張り込み作業を行う際、リンクｂにアタッチメントａが付いているため、チェーンの張り込み作業が煩雑となって同様に非効率であるという問題がある。
【０００７】
更に、チェーンは駆動スプロケットによって駆動するとともに従動スプロケットを回転させるため、汚泥掻寄機をある程度使用すると摩耗を生じる。チェーンが摩耗した場合、チェーンを交換する必要があるが、あまり摩耗していないアタッチメントまで交換する必要がある。このため、摩耗していないアタッチメントを無駄にしてコストがかかるという問題もある。
【０００８】
本発明はこのような事情に鑑みてなされたものであって、その目的は、チェーンの運搬をより一層効率よくするとともにチェーンの張り込み作業をより簡単にかつより効率よくし、更にチェーンのリンクに設けられかつフライトを取り付けるアタッチメントを無駄にすることのない汚泥掻寄機を提供することである。
【課題を解決するための手段】
【０００９】
前述の課題を解決するために、本発明の汚泥掻寄機は、スプロケットの複数のスプロケット側係合部に無端状のチェーンが係脱可能に係合することで前記スプロケットと前記チェーンとの間で動力伝達が行われるチェーン動力伝達装置を備える汚泥掻寄機において、前記チェーンが、複数のリンクが互いに相対回転可能にかつ無端状に連結されて形成されているとともに、前記リンクが前記スプロケット側係合部に係脱可能とされており、前記リンクに掻寄部材がアタッチメントを介して設けられており、前記アタッチメントが前記リンクに着脱可能に取り付けられていることを特徴としている。
【００１０】
また、本発明の汚泥掻寄機は、前記リンクおよび前記アタッチメントのいずれか一方に、前記アタッチメントを前記リンクに対して位置決めする位置決め用凸部が設けられるとともに、前記リンクおよび前記アタッチメントのいずれか他方に、位置決め用凸部が嵌合されて前記アタッチメントを前記リンクに対して位置決めする位置決め用凹部が設けられていることを特徴としている。
【００１１】
更に、本発明の汚泥掻寄機は、前記位置決め用凸部および前記位置決め用凹部が前記アタッチメントの前記リンクへの取付のための固着具が設置される固着具設置部であることを特徴としている。
【発明の効果】
【００１２】
このように構成された本発明に係る汚泥掻寄機によれば、掻寄部材（フライト）を取り付けるアタッチメントがチェーンのリンクと別体に形成されてこのリンクに着脱可能に取り付けられる。したがって、汚泥掻寄機をこれが設置される現地に搬送する際に、アタッチメントをリンクから取り外すことができる。これにより、チェーンを無端状態を解除して直線状にするとともに巻いてパレットに載置して搬送する。このとき、チェーンにはアタッチメントが取り付けられていないから、チェーンを巻いた状態にしても、チェーンが従来のように大きく嵩張ることはない。その結果、汚泥掻寄機の搬送時にチェーンが場所を大きくとることはなく、運搬作業を効率よく行うことができるようになる。
【００１３】
また、現地でチェーンをスプロケットに張り込み作業を行う際、リンクにアタッチメントが付いていないため、チェーンの張り込み作業を比較的簡単に行うことができ、チェーンの張り込み作業も効率よく行うことができる。
【００１４】
更に、チェーンが前述のように摩耗した場合、アタッチメントをチェーンから外してチェーンのみを交換することができる。したがって、あまり摩耗していないアタッチメントを交換しなくて済むので、アタッチメントを無駄にすることはなく、その分コストを低減することができる。
【００１５】
更に、リンクおよびアタッチメントのいずれか一方に位置決め用凸部を設けるとともに、リンクおよびアタッチメントのいずれか他方にこの位置決め用凸部が嵌合される位置決め用凹部を設けている。これにより、アタッチメントをリンクに簡単に位置決めすることが可能となる。したがって、アタッチメントのリンクへの取付作業を効率よくできるとともに、アタッチメントのリンクへの誤取付を防止できる。特に、位置決め用凸部および位置決め用凹部をアタッチメントのリンクへの取付のための固着具の固着具設置部とするこ
とで、位置決め用凸部および位置決め用凹部を別の場所に設ける必要がない。したがって、アタッチメントとリンクとの取付構造を簡単にすることができる。
【００１６】
更に、アタッチメントをリンクに着脱可能とすることで、掻寄部材（フライト）とアタッチメントとを汚泥掻寄機の使用場所や使用環境に応じて用意することが可能となる。これにより、汚泥掻寄機の汎用性を向上することができる。
【発明を実施するための最良の形態】
【００１７】
以下、図面を用いて、本発明を実施するための最良の形態について説明する。
図１は、本発明のチェーン動力伝達装置を用いた汚泥掻寄機の実施の形態の一例を模式的に示す正面図、図２は、図１におけるII方向から見たときの一部の構成要素を除いて示す図である。
【００１８】
図１および図２に示すように、この例の汚泥掻寄機１は、フレーム本体２に設けられたチェーン動力伝達装置３を備えている。このチェーン動力伝達装置３は、一対の駆動スプロケット４,５と、二対の従動スプロケット６,７,８,９と、一方の駆動スプロケット４および一方の一対の従動スプロケット６,８に掛け渡された無端状のチェーン１０と、他方
の駆動スプロケット５および一方の一対の従動スプロケット６,９に掛け渡された無端状
のチェーン１１とを有している。なお、従動スプロケット９は図示されないが、従動スプロケット８と並設されている。したがって、図１の従動スプロケット８に符号９にカッコを付して示す。一対の駆動スプロケット４,５が一体に同期して回転するとともに、一対
の従動スプロケット６,８が一体に同期して回転され、更に他の一対の従動スプロケット
７,９が一体に同期して回転され
【００１９】
駆動スプロケット４,５および従動スプロケット６,７,８,９は、いずれも同じ構成を有している。したがって、１つの駆動スプロケット４について説明し、他のスプロケット５,６,７,８,９の説明は省略する。
【００２０】
図３は駆動スプロケットを示し、（ａ）は正面図、（ｂ）は（ａ）におけるIIIB−IIIB線に沿う断面図、（ｃ）は（ｂ）の部分拡大断面図である。
図３（ａ）ないし（ｃ）に示すように駆動スプロケット４は、プラスチックにより略円板状に形成されたスプロケット本体１２と、スプロケット本体１２の外周縁部にこのスプロケット本体１２の回転中心と同心円上に等間隔（一定ピッチ）を置いて配設された所定数（図示例では、２１個）のチェーン係合用ローラ１３（本発明のスプロケット側係合部に相当）とを有している。
【００２１】
スプロケット本体１２は所定間隔を置いて径方向外方に突設された一対の円環状のローラ支持フランジ１２ａ,１２ｂを有している。これらのローラ支持フランジ１２ａ,１２ｂはスプロケット本体１２と単一部材で一体に成形されている。一対のローラ支持フランジ１２ａ,１２ｂの貫通孔に、それぞれフランジを有するスリーブ１４,１５が嵌合されている。また、支持ボルト１６がこれらのスリーブ１４,１５を貫通してローラ支持フランジ
１２ａ,１２ｂ間に架設されてナット１７によって固定されている。その場合、支持ボル
ト１６の頭部１６ａとスリーブ１４との間およびナット１７とスリーブ１５との間にそれぞれワッシャー１８,１９が介在されている。支持ボルト１６は、スプロケット本体１２
の回転中心と同心円上に等間隔（一定ピッチ）を置いてチェーン係合用ローラ１３と同数配設されている。そして、これらの支持ボルト１６に、それぞれチェーン係合用ローラ１３が一対のローラ支持フランジ１２ａ,１２ｂ間に位置して回転不能にまたは回転可能に
支持されている。
【００２２】
各チェーン係合用ローラ１３はプラスチックにより形成され、パイプ部１３ａとその両
端にそれぞれ形成されたフランジ１３ｂ,１３ｃとを有している。パイプ部１３ａの長さ
は、後述する図４（ａ）に示すチェーン１０のリンク２０の最大幅より若干長くなるように設定されている。また、両フランジ１３ｂ,１３ｃの対向面は、ともにそれらの内周部
から外周部にかけてフランジ１３ｂ,１３ｃの厚さが薄くなるように軸方向と直交する方
向に対して傾斜したテーパ状に形成されている。これにより、両フランジ１３ｂ,１３ｃ
の対向面の内周部が、パイプ部１３ａに係合するチェーン１０の蛇行を抑制するようにされているとともに、両フランジ１３ｂ,１３ｃの対向面の外周部がリンク２０との摩擦を
あまり生じないようにされている。
【００２３】
なお、チェーン係合用ローラ１３はそのフランジ１３ｂ,１３ｃを省略して一対のロー
ラ支持フランジ１２ａ,１２ｂ間の間隔のほぼ全体にわたってパイプ部１３ａが形成され
るようにすることもできる。このように構成することで、リンク２０の幅が一対のローラ支持フランジ１２ａ,１２ｂ間の間隔のほぼ全体にまで大きくすることができる。これに
より、チェーン係合用ローラ１３とリンク２０の相互の接触部分がより一層大きくすることができるようになり、チェーン係合用ローラ１３とリンク２０との摩擦力が小さくなる。その結果、チェーン係合用ローラ１３とリンク２０の各摩耗量が低減されるようになる。
【００２４】
図４（ａ）はチェーンを部分的に示す平面図、図４（ｂ）は図４（ａ）に示すチェーンの正面図、図５（ａ）はチェーンを構成するリンクの平面図、図５（ｂ）は図５（ａ）に示すリンクの正面図、図５（ｃ）は図５（ｂ）におけるVC−VC線に沿う断面図、図６（ａ）は図５（ａ）におけるVIA−VIA線に沿う断面図、図６（ｂ）はリンクどうしを連結するリンク連結部材の分解図である。
【００２５】
図１、図４（ａ）,（ｂ）、および図５（ａ）,（ｂ）に示すように、チェーン１０は複数のリンク２０をリンク連結部材２１で相対回転可能にかつ無端状に連結されて構成されている。各リンク２０はすべて同じ構成を有しており、その一端部側に二股部２０ａを有する平面視Ｙ字状に形成されている。そして、互いに隣接する２つのリンク２０,２０に
おいて、一方のリンク２０の二股部２０ａに他方のリンク２０の他端部２０ｂが相対回転可能にかつ着脱可能に嵌合されている。
【００２６】
図５（ａ）に示すように、各リンク２０の二股部２０ａ側および他端部２０ｂ側に、それぞれ、リンク２０の長手方向と直交する方向（つまり、リンク２０の幅方向）に貫通孔２０ｃ,２０ｄが設けられている。また、各リンク２０の二股部２０ａ側および他端部２
０ｂ側には、それぞれ、各スプロケット４,５,６,７,８,９の各チェーン係合用ローラ１
３のパイプ部１３ａに係脱可能に係合する一対の第１および第２係合部２０ｅ,２０ｆが
設けられている。更に、これらの第１および第２係合部２０ｅ,２０ｆは１つの凹部によ
って形成されているとともに、この凹部はチェーン係合用ローラ１３を収容するローラ収容部として構成されている。もちろん、一対の第１および第２係合部２０ｅ,２０ｆは別
々に独立して設けることもできる。
【００２７】
図５（ａ）,（ｂ）および図６（ａ）に示すように、リンク２０の幅方向中心には、リ
ンク２０の上面から下面に貫通する一対の貫通孔２０ｇ,２０ｈが穿設されている。更に
、図５（ｂ）および（ｃ）に示すように、第２係合部２０ｆには所定数の長手方向溝２０ｉがリンク２０の幅方向に所定間隔を置いて設けられている。
【００２８】
このように、リンク２０に長手方向溝２０ｉを設けることで、チェーン係合用ローラ１３とリンク２０の第２係合部２０ｆとの当接部に汚水に含まれる微細な砂等の微小異物が介在したとき、この微小異物を長手方向溝２０ｉに逃がすことができる。したがって、この微小異物によるチェーン係合用ローラ７およびリンク１４の第２係合部２０ｆの摩耗を
効果的に抑制することができる。これにより、チェーン係合用ローラ１３およびリンク２０の耐久性を更に一層向上することができる。また、図示しないが、チェーン係合用ローラ１３が係合するリンク２０の第１係合部２０ｅを含むリンク長手方向の所定領域にも、長手方向溝２０ｉと同様の複数の長手方向溝を、リンク１４の幅方向に所定間隔を置いて設けることもできる。
【００２９】
図６（ｂ）に示すように、各リンク連結部材２１は連結ピンからなり、この連結ピンは、ピン本体２１ａと、ピン本体２１ａの一端側に設けられた頭部２１ｂと、ピン本体２１ａの他端側に設けられ弾性変形可能な係止部２１ｃとを有している。
【００３０】
そして、前述の図４（ａ）に示すように一方のリンク２０の二股部２０ａに、このリンク２０に隣接する他方のリンク２０の他端部２０ｂが嵌合されるとともに、一方のリンク２０の貫通孔２０ｃと他方のリンク２０の貫通孔２０ｄとが整列される。この状態で、リンク連結部材２１である連結ピンが二股部２０ａの一側からこれらの貫通孔２０ｃ,２０
ｄを貫通される。このとき、係止部２０ｃが弾性的に縮径されるとともに、係止部２０ｃが貫通孔２０ｃ,２０ｄを貫通すると係止部２０ｃが弾性による復元してリンク２０に係
止される。こうして、互いに隣接する２つのリンク２０,２０がリンク連結部材２１によ
って相対回転可能にかつ着脱可能に連結される。同様にして、他のリンク２０も順次リンク連結部材２１によって連結され、無端状のチェーン１０が形成される。また、他のチェーン１１も同様にして形成される。
【００３１】
図７は、駆動スプロケットとチェーンとの係合を説明する部分図である。
図７に示すように、チェーン１０は駆動スプロケット４の外周側に部分的に巻き掛けられる。他のチェーン１１も同様に他の駆動スプロケット５の外周側に部分的に巻き掛けられる。図１に示すように、駆動スプロケット４,５は動力源であるフレーム本体２の設置
されたモータ２２に駆動スプロケット駆動用動力伝達装置２３で連結されている。すなわち、駆動スプロケット駆動用動力伝達装置２３はモータ２２の回転軸２２ａに取り付けられた歯車状の駆動スプロケット２３ａと、駆動スプロケット４,５の回転軸２４に取り付
けられた歯車状の従動スプロケット２３ｂと、駆動スプロケット２３ａおよび従動スプロケット２３ｂに掛け渡された無端状のチェーン２３ｃとを有している。
【００３２】
そして、モータ２２によって駆動スプロケット２３ａが回転駆動されると、この駆動スプロケット２３ａの回転がチェーン２３ｃを介して従動スプロケット２３ｂに伝達され、従動スプロケット２３ｂが回転される。従動スプロケット２３ｂの回転で回転軸２４が回転するので、各駆動スプロケット４,５が回転する。これにより、一対のチェーン１０,１１が同期して回転する。
【００３３】
駆動スプロケット４が図１に矢印αで示す時計回りに回転駆動されると、スプロケット４のチェーン係合用ローラ１３が１つのリンク２０の第１係合部２０ｅに係合してこの第１係合部２０ｅを押圧する。これにより、チェーン１０,１１がスプロケット４と同方向
に回転開始される。続いて、駆動スプロケット４の回転により、他のチェーン係合用ローラ１３がこのリンク２０に隣接するリンク２０の第１係合部２０ｅに係合し、同様にしてこの第１係合部２０ｅを押圧する。こうして、スプロケット４の回転により、他のチェーン係合用ローラ１３が順次、スプロケット４に続いて到達するリンク２０の第１係合部２０ｅに係合する。こうして、スプロケット４の回転により、チェーン１０,１１が連続し
て回転するようになっている。
【００３４】
図１、図２、および図８に示すように、各チェーン１０,１１のリンク２０の一部には
、所定数のフライト（掻寄部材）２５が各チェーン１０,１１の全周に沿って等間隔に取
り付けられている。具体的には、各チェーン１０,１１のリンク２０にそれぞれ、リンク
２０とは別体に形成されかつ支持台２６を有するアタッチメント（フライト支持部材）２７が着脱可能に固定されている。図９に示すように、このアタッチメント２７は上下に逆Ｌ字帯板状のアタッチメント本体２７ａを有し、このアタッチメント本体２７ａの上辺に支持台２６が設けられている。た設けられている。支持台２６には位置決め用突起２６ａが設けられている。この位置決め用突起２６ａは、アタッチメント２７がリンク２０に取り付けられる際にリンク２０の貫通孔２０ｇに嵌合されることで位置決めされる。したがって、リンク２０の貫通孔２０ｇは、アタッチメント２７の位置決め用孔として機能する。
【００３５】
更に、アタッチメント本体２７ａの側辺には、フライト取付部２７ｂが設けられているとともに、一対の補強リブ２７ｃ,２７ｄがフライト取付部２７ｂと反対側に設けられて
いる。更に、アタッチメント本体２７ａの上辺および支持台２６に、アタッチメント２７をリンク２０に取り付けるボルトが挿通される一対のボルト挿通孔２７ｅ,２７ｆが穿設
されている。また、アタッチメント本体２７ａの側辺およびフライト取付部２７ｂに、フライト２５をアタッチメント２７に取り付けるボルトが挿通される４個のボルト挿通孔２７ｇ,２７ｈ,２７ｉ,２７ｊが穿設されている。
【００３６】
そして、図８に示すように、支持台２６の位置決め用突起２６ａがリンク２０の貫通孔２０ｇに嵌合されてリンク２０の１つの貫通孔２０ｇとアタッチメント２７の１つのボルト挿通孔２７ｅとが整合されるとともに、リンク２０のもう１つの貫通孔２０ｈとアタッチメント２７の１つのボルト挿通孔２７ｆとが整合される。このように、位置決め用突起２６ａが貫通孔２０ｇに嵌合されるだけで、各孔のセンタリングを簡単に行うことが可能となる。この状態で、ボルト２８,２９が整合されたこれらの孔に貫通されてそれぞれナ
ット３０,３１が螺合されかつ緊締されることで、アタッチメント２７がリンク２０に着
脱可能に取り付けられる。一方、アタッチメント本体２７ａのフライト取付部２７ｂに、フライト２５が図示しないボルトとナットで着脱可能に取り付けられる。
【００３７】
そして、モータ２２を駆動してチェーン１０,１１を図１において矢印αの時計回りに
回動させると、このチェーン１０,１１の回動とともにフライト２５が回動することで、
沈澱槽３４に沈殿した汚泥がフライト２５によって汚泥ピットまで掻き寄せられる。
【００３８】
このように構成されたこの例の汚泥掻寄機１によれば、フライト２５が取り付けられるアタッチメント２７がチェーン１０,１１のリンク２０と別体に形成されてこのリンク２
０に着脱可能に取り付けられる。したがって、汚泥掻寄機１をこれが設置される現地に搬送する際に、アタッチメント２７をリンク２０から取り外すことができる。これにより、チェーン１０,１１を無端状態を解除して直線状にするとともに巻いてパレットに載置し
て搬送する。このとき、チェーン１０,１１にはアタッチメント２７が取り付けられてい
ないから、チェーン１０,１１を巻いた状態にしても、チェーン１０,１１が従来のように大きく嵩張ることはない。その結果、汚泥掻寄機１の搬送時にチェーン１０,１１が場所
を大きくとることはなく、運搬作業を効率よく行うことができるようになる。
【００３９】
また、現地でチェーン１０,１１を各スプロケット４,５,６,７,８,９に張り込み作業を行う際、リンク２０にアタッチメント２７が付いていないため、チェーン１０,１１の張
り込み作業を比較的簡単に行うことができ、チェーン１０,１１の張り込み作業も効率よ
く行うことができる。
【００４０】
更に、チェーン１０,１１が前述のように摩耗した場合、アタッチメント２７をチェー
ン１０,１１から外してチェーン１０,１１のみを交換することができる。したがって、あまり摩耗していないアタッチメント２７を交換しなくて済むので、アタッチメント２７を無駄にすることはなく、その分コストを低減することができる。
【００４１】
更に、アタッチメント２７の支持台２６に位置決め用突起２６ａを設けるとともに、リンク２０にこの位置決め用突起２６ａが嵌合される貫通孔２０ｇを設けている。このように位置決め用突起２６ａからなる位置決め用凸部と貫通孔２０ｇからなる位置決め用凹部とを設けることにより、アタッチメント２７をリンク２０に簡単に位置決めすることが可能となる。したがって、アタッチメント２７のリンク２０への取付作業を効率よくできるとともに、アタッチメント２７のリンク２０への誤取付を防止できる。特に、前述の例のように位置決め用突起２６ａおよび貫通孔２０ｇをアタッチメント２７のリンク２０への取付のためのボルト挿通部（本発明の固着具設置部）とすることで、位置決め用凸部および位置決め用凹部を別の場所に設ける必要がない。したがって、アタッチメント２７とリンク２０との取付構造を簡単にすることができる。
【００４２】
更に、アタッチメント２７をリンク２０に着脱可能とすることで、フライト２５とアタッチメント２７とを汚泥掻寄機１の使用場所や使用環境に応じて用意することが可能となる。これにより、汚泥掻寄機１の汎用性を向上することができる。
【００４３】
なお、本発明の汚泥掻寄機は、前述の例に限定されることなく、特許請求の範囲に記載された事項の範囲内で種々設計変更が可能である。
【産業上の利用可能性】
【００４４】
本発明に係る汚泥掻寄機は、モータ等の動力源の駆動力をチェーンおよびスプロケットにより伝達するチェーン動力伝達装置を備える汚泥掻寄機に好適に利用することができる。
【図面の簡単な説明】
【００４５】
【図１】本発明のチェーン動力伝達装置を用いた汚泥掻寄機の実施の形態の一例を模式的に示す
【図２】図１におけるII方向から見たときの一部の構成要素を除いて示す図である。
【図３】駆動スプロケットを示し、（ａ）は正面図、（ｂ）は（ａ）におけるIIIB−IIIB線に沿う断面図、（ｃ）は（ｂ）の部分拡大断面図である。
【図４】（ａ）はチェーンを部分的に示す平面図、（ｂ）は（ａ）に示すチェーンの正面図である。
【図５】（ａ）はチェーンを構成するリンクの平面図、（ｂ）は（ａ）に示すリンクの正面図、（ｃ）は（ｂ）におけるVC−VC線に沿う断面図である。
【図６】（ａ）は図５（ａ）におけるVIA−VIA線に沿う断面図、（ｂ）はリンクどうしを連結するリンク連結部材の分解図である。
【図７】スプロケットとチェーンとの係合を説明する部分図である。
【図８】リンクとアタッチメントの取付を説明する図である。
【図９】（ａ）はアタッチメントの正面図、（ｂ）はアタッチメントの右側面図である。
【図１０】アタッチメントとリンクとが単一部材で構成される従来のリンクを示す図である。
【符号の説明】
【００４６】
１…汚泥掻寄機、２…フレーム本体、３…チェーン動力伝達装置、４,５…駆動スプロケ
ット、４ａ…回転ボス部、６,７,８,９…従動スプロケット、１０,１１…チェーン、１２…スプロケット本体、１３…チェーン係合用ローラ、２０…リンク、２０ｅ…第１係合部、２０ｆ…第２係合部、２０ｇ…貫通孔、２１…リンク連結部材、２２…モータ、２５…フライト（掻寄部材）、２６…支持台、２６ａ…位置決め用突起、２７…アタッチメント
【図１】
2010104867.tif 000003
【図２】
2010104867.tif 000004
【図３】
2010104867.tif 000005
【図４】
2010104867.tif 000006
【図５】
2010104867.tif 000007
【図６】
2010104867.tif 000008
【図７】
2010104867.tif 000009
【図８】
2010104867.tif 000010
【図９】
2010104867.tif 000011
【図１０】
2010104867.tif 000012
【手続補正書】
【提出日】平成21年1月29日(2009.1.29)
【手続補正１】
【補正対象書類名】図面
【補正対象項目名】全図
【補正方法】変更
【補正の内容】
【図１】
2010104867.tif 000013
【図２】
2010104867.tif 000014
【図３】
2010104867.tif 000015
【図４】
2010104867.tif 000016
【図５】
2010104867.tif 000017
【図６】
2010104867.tif 000018
【図７】
2010104867.tif 000019
【図８】
2010104867.tif 000020
【図９】
2010104867.tif 000021
【図１０】
2010104867.tif 000022